(57)【特許請求の範囲】
【請求項１】
連続的に供給される魚体を多数配列した搬送ローラ上で搬送しながら選別する魚体選別機において、魚体の移動方向に平行して直径の大きい搬送ローラと小さい搬送ローラとを交互に所定間隔で平行に配列し、これら搬送ローラの軸中心の高さを同一にして支柱を配列し、これら搬送ローラ上で魚体を縦長状態で搬送し、これら搬送ローラの間から魚体を落下させることを特徴とする魚体選別機。
【請求項２】
連続的に供給される魚体を多数配列した搬送ローラ上で搬送しながら選別する魚体選別機において、魚体の移動方向に平行して直径の大きい搬送ローラと小さい搬送ローラとを交互に所定間隔で平行に配列し、これら搬送ローラの軸中心の高さを同一にして支柱を配列し、配列した搬送ローラをひとつおきに回転周速度を相異させて回転させ、これら搬送ローラ上で魚体を縦長状態で搬送し、これら搬送ローラの間から魚体を落下させることを特徴とする魚体選別機。
【請求項３】
前記搬送ローラの全てが等間隔で配置され、それぞれの搬送ローラの個々に電動機が接続してあることを特徴とする請求項１または請求項２に記載の魚体選別機。
【請求項４】
前記大きい搬送ローラに対して小さい搬送ローラが段差をつけて低く配置されていることを特徴とする請求項１乃至請求項３に記載のいずれかひとつである魚体選別機。
【発明の詳細な説明】
【０００１】
【発明の属する技術分野】
この発明は、収穫した魚を選別する選別装置にかかり、特に、搬送ローラ間から確実に落下させることができる魚体選別機に関する。
【０００２】
【従来の技術】
かつお、ぶり、秋刀魚などの魚体を高速に大量に搬送して箱詰にするに際して所定の大きさの、ものを選別するために複数のローラを所定間隔に配列して選別することが行われている。収穫した魚体を搬送方向に多数配列した搬送ローラや無端ベルトにより魚体を搬送しながら魚体を選別する装置が利用されている。例えば、段差をつけて搬送ローラを配列し、この搬送ローラ間から魚体を落下させるもの、並列配置した無端ベルトの間隔を調節して魚体の選別を行うものなどが使用されている。
【０００３】
しかし充分な選別精度が得られなかった。例えば、特開昭５６−１３７８３９号公報に搬送部の無端ベルトを並列して数本配列し、それぞれの回転速度を相異させて、魚体の進行方向を一定にするようにしたものである。
【０００４】
また、魚体の移動方向に平行して同一径の搬送ローラを配列し、この搬送ローラ間から魚体を落下させながら選別する方法も実施されている。
【０００５】
【発明が解決しようとする課題】
しかし、従来の選別機では魚の種類によっては充分な選別はできず、選別精度が悪かった。
この発明の課題は、高速に搬送される魚体の選別の精度を上げることができる魚体選別機を提供することである。
更に、本発明の課題は、魚体の搬送方向に沿って落下し易いようにした魚体選別機を提供することである。
【０００６】
【課題を解決するための手段】
この発明の課題を達成するために、連続的に供給される魚体を多数配列した搬送ローラ上で搬送しながら選別する魚体選別機において、魚体の移動方向に平行して直径の大きい搬送ローラと小さい搬送ローラとを交互に所定間隔で平行に配列し、これら搬送ローラの軸中心の高さを同一にして支柱を配列し、これら搬送ローラ上で魚体を縦長状態で搬送し、これら搬送ローラの間から魚体を落下させる魚体選別機の構成としたものである。
【０００７】
また、前記課題は、配列した搬送ローラのひとつおきに搬送ローラの回転周速度を相異させて回転させながら魚体を選別する構成、または前記搬送ローラの全てが等間隔で配置され、それぞれの搬送ローラの個々に電動機が接続してある構成、前記大きい搬送ローラに対して小さい搬送ローラが段差をつけて低く配置されている構成、および各前記搬送ローラを支持する支柱の軸中心までの高さがローラ間の間隔の２〜２．５倍である構成によって達成できる。
【０００８】
この発明の魚体選別機は。移動方向に平行に所定間隔で配列した搬送ローラの隣接する搬送ローラの径を相異させてあるから供給される魚体が移動方向に平行になり易く、搬送ローラ間から落下しやすい。また、これら径の異なる搬送ローラの回転周速度を異ならせてあるからこれら搬送ローラ間から魚体を確実に落下させることができる。周速度が異なるので、魚体の表面を損傷させることなく、落下させることができる。
【０００９】
この発明の魚体選別機は等間隔に搬送ローラを配置してあるので大きさ揃えて選別することができる。また、この搬送ローラの個々が独立した電動モータに接続してあるから個々の制御ができ、またメンテナンスのときに搬送ローラを交換する場合も駆動部の連結機構の複雑な作業もなく容易に交換することができる。さらに、搬送ローラを支持する支柱をやや高く構成してあるから落下する魚体が支柱鉄骨などに接触することなく、搬送ベルト（コンベアベルト）に落下させることができる。
【００１０】
【発明の実施の形態】
以下、この発明に係る魚体選別機の実施の形態について図面を参照して説明する。
図１は本発明魚体選別機の第１の実施形態の下流側からみた正面図である。図２は本発明の搬送ローラが段差をつけて配列されている魚体選別機を示す第２の実施形態の正面図である。図３は図１に示す魚体選別機の配列した搬送ローラ群の斜視図である。図４は本発明の魚体選別機を使用する魚体搬送方法を示す概略説明図である。
【００１１】
この発明の魚体選別機について図面に示す実施の形態に基づいて説明する。
図面に示す実施の形態において、選別装置１は魚体の流れ方向に沿って平行に搬送ローラ２が並列して配置してあり、これら搬送ローラは枠体４の支柱５、５・・の軸受５ａ、５ａ・・に軸支され、この搬送ローラ２は大径ローラ２ａと小径ローラ２ｂとを交互に平行に等間隔で配列してある。小径ローラ２ｂの周速度は大径ローラ２ａの約２倍にしてある。
【００１２】
例えば、大径ローラ２ａの径を７６．３φとし、小径ローラ２ｂを６０．５φとすると、小径ローラ２ｂの周速度は大径ローラ２ａの倍になる。これら搬送ローラ２の駆動は一個の電動モータに接続した駆動チェーンにより減速装置などを介して個々の搬送ローラが駆動されるようになっている。また、ここの搬送ローラ２の個々が電動機に接続すると、個々の搬送ローラの速度調節も可能で、メンテナンスのときに簡易に搬送ローラの交換ができる。この搬送ローラ２、２の間隔は流出口側で選別する魚体によって調節できるようになっている。
【００１３】
この選別装置１は供給コンベア６、誘導コンベア７から供給される魚体を選別するために誘導コンベア７の排出側に配置してある。供給コンベア６は上向角度を取り、進行方向に駆動してある。この上で魚体は進行方向に整列して搬送される。シャワー３を配置してある誘導コンベア７上に落下して洗浄されながら搬送され、選別装置１の搬送ローラ２上に移動する。この魚体は周速度の異なる大径ローラ２ａと小径ローラ２ｂ上で移送しながらこの搬送ローラ２，２・・間から魚体が落下してコンベア９によって搬送される。
【００１４】
搬送ローラ２が段差をつけて配列してある第２の実施の形態によれば移動する魚体が移動方向に平行になり易く、確実に魚体が間隙から落下し易くなる。特に、小径ローラ２ｂの周速度が隣接する大径ローラ２ａより速いので魚体は隙間に入り易く、縦位置になりやすく、この搬送ローラ間から確実に落下する。
【００１５】
この発明の魚体選別機の動作を図面に基づいて説明する。
図１の第１の実施形態において、誘導コンベア７から供給された魚体は図３に示されるように搬送ローラ２上に落下し、横流れすることなく搬送ローラ２で整頓されて搬送ローラ２、２間から落下する。この間隔は選別する魚体に応じて調節する。
【００１６】
図２に示す第２の実施形態は選別装置１の隣接する搬送ローラ２が段差をもうけて配置されたもので、大径ローラ２ａの隣に設けた小径ローラ２ｂは段差をつけて固定してある。このように一個置きに段差をもうけて周速度の速いローラを配置してある。このように周速度の異なる搬送ローラ２が段差をつけて配置されているから選別する魚体は搬送ローラ２間から確実に落下するので選別精度が高まる。
【００１７】
【発明の効果】
この発明に係る魚体選別機は、隣接する搬送ローラの回転周速度が相異するから魚体が容易に搬送ローラ間に入りやすく、選別精度が高くなる。しかも短時間に選別できるから魚体の損傷も少ないなどの優れた効果を発揮する。
【図面の簡単な説明】
【図１】本発明の魚体選別機の第１の実施形態の下流側からみた正面図である。
【図２】本発明の搬送ローラが段差をつけて配列されている魚体選別機を示す第２の実施形態の正面図である。
【図３】図１に示す魚体選別機の配列した搬送ローラ群の斜視図である。
【図４】本発明の魚体選別機を使用する魚体搬送方法を示す概略説明図である。
【符号の説明】
１        選別装置
２        搬送ローラ
２ａ    大径ローラ
２ｂ    小径ローラ
３        シャワー
４        枠体
５        支柱
６        供給コンベア
７        誘導コンベア
８        シャワー
９        コンベア
【図１】
0003579666.tif 000002
【図２】
0003579666.tif 000003
【図３】
0003579666.tif 000004
【図４】
0003579666.tif 000005